(57)【要約】【課題】視聴者の好みの番組を検索し登録して、その登録した好みの番組とそれ以外の番組とに関して、視聴者に最適な表示形態（２画面並列表示、親子画面表示、１画面表示及び各画面の番組配置）が自動的に選択されて表示されるテレビジョン装置及びその出力方法、テレビジョンシステムを提供することである。【解決手段】視聴者の好みの番組のジャンル又はキーワードを登録し、これと一致する番組を視聴したときは、メモリ１０９の第２の領域１０９Ｂにチャンネルやジャンル等をお好み番組の情報として記憶しておき、チャンネル切り替えを行った際に、操作手段を操作することなく、チャンネル切り替えで表示された番組を第１の画面に、視聴者の好みの番組を第２の画面にして自動的に２画面表示する。また、視聴者の好みの番組に戻った際には１画面表示に自動的に切り替わる。【選択図】図１
2008167083.tif 000002
【特許請求の範囲】
【請求項１】
チャンネル選局が可能であって、第１の番組の映像信号を出力する第１の番組受信手段と、
チャンネル選局が可能であって、第２の番組の映像信号を出力する第２の番組受信手段と、
前記第１及び第２の番組の映像信号を合成して２画面表示可能とする一方、少なくとも前記第１の番組の映像信号を１画面表示可能とする合成手段と、
前記第１の番組について、視聴者の好みのジャンル又はキーワードを好みの条件として記憶する第１の記憶手段と、
電源のオンオフ及び前記第１の番組受信手段に対するチャンネル選局を含む操作を行うための操作手段と、
視聴中の第１の番組が、前記好みの条件を満たしたか否かを判定する第１の判定手段と、
視聴中の第１の番組が、前記第１の判定手段が前記好みの条件を満たしたと判断したときに、この前記好みの条件を満たした前記第１の番組を特定可能な番組情報を記憶する第２の記憶手段と、
前記第１の番組受信手段に対するチャンネル切り替えを行った際に、このチャンネル切り替え後の番組が前記第２の記憶手段に記憶したチャンネル切り替え前の好みの条件を満たした番組に戻ったか否かを判定する第２の判定手段と、
前記第２の判定手段で判定した結果、チャンネル切り替え後の番組がチャンネル切り替え前の好みの条件を満たした番組であった場合には、このチャンネル切り替え後の番組の映像信号のみを前記合成手段にて１画面表示信号として出力させ、チャンネル切り替え後の番組がチャンネル切り替え前の好みの条件を満たした番組以外の番組であった場合には、このチャンネル切り替え後の番組の映像信号と、前記第２の記憶手段に記憶したチャンネル切り替え前の好みの条件を満たした番組の前記番組情報に基づき前記第２の番組受信手段で自動的にチャンネル選局した番組の映像信号とを、前記合成手段にて合成して２画面表示信号として出力させる合成制御手段と、
を具備したことを特徴とするテレビジョン装置。
【請求項２】
チャンネル選局が可能であって、第１の番組の映像信号を出力する第１の番組受信手段と、
チャンネル選局が可能であって、第２の番組の映像信号を出力する第２の番組受信手段と、
前記第１及び第２の番組の映像信号を合成して２画面表示可能とする一方、少なくとも前記第１の番組の映像信号を１画面表示可能とする合成手段と、
前記第１の番組について、視聴者の好みのジャンル又はキーワード、及び視聴時間を好みの条件として記憶する第１の記憶手段と、
電源のオンオフ及び前記第１の番組受信手段に対するチャンネル選局を含む操作を行うための操作手段と、
前記操作手段を用いて、電源オン又は前記第１の番組受信手段に対するチャンネル切り替えを行った時からの時間経過を視聴時間として測定する計時手段と、
視聴中の第１の番組が、前記好みの条件を満たしたか否かを判定する第１の判定手段と、
視聴中の第１の番組が、前記第１の判定手段が前記好みの条件を満たしたと判断したときに、この前記好みの条件を満たした前記第１の番組を特定可能な番組情報を記憶する第２の記憶手段と、
前記第１の番組受信手段に対するチャンネル切り替えを行った際に、このチャンネル切り替え後の番組が前記第２の記憶手段に記憶したチャンネル切り替え前の好みの条件を満たした番組に戻ったか否かを判定する第２の判定手段と、
前記第２の判定手段で判定した結果、チャンネル切り替え後の番組がチャンネル切り替え前の好みの条件を満たした番組であった場合には、このチャンネル切り替え後の番組の映像信号のみを前記合成手段にて１画面表示信号として出力させ、チャンネル切り替え後の番組がチャンネル切り替え前の好みの条件を満たした番組以外の番組であった場合には、このチャンネル切り替え後の番組の映像信号と、前記第２の記憶手段に記憶したチャンネル切り替え前の好みの条件を満たした番組の前記番組情報に基づき前記第２の番組受信手段で自動的にチャンネル選局した番組の映像信号とを、前記合成手段にて合成して２画面表示信号として出力させる合成制御手段と、
を具備したことを特徴とするテレビジョン装置。
【請求項３】
前記合成手段にて出力される２画面表示信号は、前記第１の番組受信手段が選局受信する第１の番組の映像信号を親画面信号とし、前記第２の番組受信手段が選局受信する第２の番組の映像信号を子画面信号とすることを特徴とする請求項１又は２に記載のテレビジョン装置。
【請求項４】
チャンネル選局が可能であって、第１の番組の映像信号を出力する第１の番組受信手段と、
インターネットに接続してウェブ上のホームページを受信可能であって、該ホームページの映像信号を出力するインターネット受信手段と、
前記第１の番組及び前記ホームページの映像信号を合成して２画面表示可能とする一方、前記第１の番組及び前記ホームページの映像信号の一方を１画面表示可能とする合成手段と、
前記第１の番組について、視聴者の好みのジャンル又はキーワードを好みの条件として記憶する第１の記憶手段と、
視聴中の第１の番組が、前記好みの条件を満たしたか否かを判定する第１の判定手段と、
前記ホームページについて、視聴者の好みのアドレスを記憶する一方、視聴中の第１の番組が、前記第１の判定手段が前記好みの条件を満たしたと判断したときに、この前記好みの条件を満たした前記第１の番組を特定可能な番組情報を記憶する第２の記憶手段と、
電源のオンオフ及び前記第１の番組受信手段に対するチャンネル選局並びにホームページ選択受信を含む操作を行うための操作手段と、
前記第１の番組受信手段に対するチャンネル切り替えを行った際に、このチャンネル切り替え後の番組が前記第２の記憶手段に記憶したチャンネル切り替え前の好みの条件を満たした番組に戻ったか否かを判定する第２の判定手段と、
前記第２の判定手段で判定した結果、チャンネル切り替え後の第１の番組がチャンネル切り替え前の好みの条件を満たした番組であった場合には、このチャンネル切り替え後の番組の映像信号のみを前記合成手段にて１画面表示信号として出力させ、チャンネル切り替え後の番組がチャンネル切り替え前の好みの条件を満たした番組以外の番組であった場合には、このチャンネル切り替え後の番組の映像信号と、前記第２の記憶手段に記憶したホームページのアドレスに対応して前記インターネット受信手段で受信したホームページの映像信号とを、前記合成手段にて合成して２画面表示信号として出力させる合成制御手段と、
を具備したことを特徴とするテレビジョン装置。
【請求項５】
請求項１乃至４のいずれか１つに記載のテレビジョン装置と、
該テレビジョン装置における前記合成手段の出力を画面表示する表示装置と、
を具備したことを特徴とするテレビジョンシステム。
【請求項６】
チャンネル選局が可能であって、第１の番組の映像信号を出力する第１の番組受信ステップと、
チャンネル選局が可能であって、第２の番組の映像信号を出力する第２の番組受信ステップと、
前記第１の番組について、視聴者の好みのジャンル又はキーワードを好みの条件として第１の記憶手段に記憶する第１の記憶ステップと、
視聴中の第１番組が、前記好みの条件を満たしたか否かを判定する第１の判定ステップと、
視聴中の第１番組が、前記第１の判定ステップにて好みの条件を満たしたと判断したときに、この前記好みの条件を満たした前記第１の番組を特定可能な番組情報を第２の記憶手段に記憶する第２の記憶ステップと、
前記第１の番組についてチャンネル切り替えを行った際に、チャンネル切り替え後の番組が前記第２の記憶手段に記憶したチャンネル切り替え前の好みの条件を満たした番組に戻ったか否かを判定する第２の判定ステップと、
前記第２の判定ステップで判定した結果、チャンネル切り替え後の番組がチャンネル切り替え前の好みの条件を満たした番組であった場合には、このチャンネル切り替え後の番組の映像信号のみを１画面表示信号として出力し、チャンネル切り替え後の番組がチャンネル切り替え前の好みの条件を満たした番組以外の番組であった場合には、このチャンネル切り替え後の番組の映像信号と、前記第２の記憶手段に記憶したチャンネル切り替え前の好みの条件を満たした番組の前記番組情報に基づき前記第２の番組受信ステップで自動的にチャンネル選局した番組の映像信号とを、合成して２画面表示信号として出力する合成ステップと、
を具備したことを特徴とするテレビジョン装置の出力方法。
【発明の詳細な説明】
【技術分野】
【０００１】
本発明は、視聴者の登録した好みの番組とそれ以外の番組とに関して、チャンネル切り替えに伴って、視聴者に最適な表示形態（２画面並列表示、親子画面表示、１画面表示及び各画面の番組配置）が自動的に選択されて表示可能となるようにした２画面並列表示、親子画面表テレビジョン装置及びその出力方法、テレビジョンシステムに関する。
【背景技術】
【０００２】
テレビジョン受像機には、２つの異なる放送チャンネルの放送映像を同一画面を２分割して表示する２画面並列表示機能を備えたものや、主画面のなかに副画面が入った形で表示する親子画面表示機能を備えたものがあり、主画面を視聴しながら裏番組を副画面でチェックできるようになっている。  
一方、近年のデジタル放送テレビジョン受像機では、視聴者が予め多数の放送チャンネルの中からお好みのチャンネルを登録しておいて、お好みチャンネルを容易に視聴可能としたり、或いは、ジャンル検索や、キーワード検索等の番組検索を行って視聴予約や録画予約ができるようになっている。
【０００３】
番組検索の利用方法として、例えば視聴者の好きな番組を検索し登録しておいて、その登録した好みの番組とそれ以外の番組とに関して、視聴者に最適な表示形態（２画面並列表示、親子画面表示、１画面表示及び各画面の番組配置）が自動的に選択されて表示されるといった、好みの番組と画面表示形態とを組み合わせた有効活用が考えられる。
【０００４】
２画面並列表示や親子画面表示を有効に利用したテレビジョン受像機の先行技術として、特許文献１乃至３が開示されている。  
特許文献１には、副画面に特定の映像フォーマットのみ表示できる２画面テレビジョン装置において、１画面での高品位表示と２画面表示とが容易に切換られることにより利便性を高めた２画面テレビジョン装置が記載されている。
【０００５】
また、特許文献２には、主番組がＣＭ放送中であることを検出し、ＣＭ放送中は主番組の映像信号と副番組の映像信号とを合成して２画面表示し、それ以外の期間は主番組の映像信号だけを画面表示するテレビジョン装置が記載されている。  
しかしながら、特許文献１及び２ともに、視聴者の好みの番組を検索し登録して、その登録した好みの番組とそれ以外の番組とに関して、視聴者に最適な表示形態（２画面並列表示、親子画面表示、１画面表示及び各画面の番組配置）が自動的に選択されて表示されるといった、好みの番組と画面表示形態とを組み合わせた有効活用を図るものではなかった。
【０００６】
さらに、特許文献３には、テレビ信号とインターネットブラウザ信号の２つの信号を２画面同時に表示する２画面信号生成装置が記載されている。 しかしながら、視聴者の好みのホームページと好みのテレビ番組とに関して、視聴者に最適な表示形態（２画面並列表示、親子画面表示、１画面表示及び各画面の番組配置）が自動的に選択されて表示されるといったものではなかった。
【特許文献１】特開２００６−２６１９０６号公報
【特許文献２】特開平１０−４２２０５号公報
【特許文献３】特開平１０−２８５４８９号公報
【発明の開示】
【発明が解決しようとする課題】
【０００７】
そこで、本発明は、上記の問題に鑑み、視聴者の好みの番組を検索し登録して、その登録した好みの番組とそれ以外の番組とに関して、チャンネル切り替えに伴って、視聴者に最適な表示形態（２画面並列表示、親子画面表示、１画面表示及び各画面の番組配置）が自動的に選択されて表示される２画面並列表示、親子画面表テレビジョン装置及びその出力方法、テレビジョンシステムを提供することを目的とするものである。
【課題を解決するための手段】
【０００８】
本願発明の一態様のテレビジョン装置は、チャンネル選局が可能であって、第１の番組の映像信号を出力する第１の番組受信手段と、チャンネル選局が可能であって、第２の番組の映像信号を出力する第２の番組受信手段と、前記第１及び第２の番組の映像信号を合成して２画面表示可能とする一方、少なくとも前記第１の番組の映像信号を１画面表示可能とする合成手段と、前記第１の番組について、視聴者の好みのジャンル又はキーワードを好みの条件として記憶する第１の記憶手段と、電源のオンオフ及び前記第１の番組受信手段に対するチャンネル選局を含む操作を行うための操作手段と、視聴中の第１の番組が、前記好みの条件を満たしたか否かを判定する第１の判定手段と、視聴中の第１の番組が、前記第１の判定手段が前記好みの条件を満たしたと判断したときに、この前記好みの条件を満たした前記第１の番組を特定可能な番組情報を記憶する第２の記憶手段と、前記第１の番組受信手段に対するチャンネル切り替えを行った際に、このチャンネル切り替え後の番組が前記第２の記憶手段に記憶したチャンネル切り替え前の好みの条件を満たした番組に戻ったか否かを判定する第２の判定手段と、前記第２の判定手段で判定した結果、チャンネル切り替え後の番組がチャンネル切り替え前の好みの条件を満たした番組であった場合には、このチャンネル切り替え後の番組の映像信号のみを前記合成手段にて１画面表示信号として出力させ、チャンネル切り替え後の番組がチャンネル切り替え前の好みの条件を満たした番組以外の番組であった場合には、このチャンネル切り替え後の番組の映像信号と、前記第２の記憶手段に記憶したチャンネル切り替え前の好みの条件を満たした番組の前記番組情報に基づき前記第２の番組受信手段で自動的にチャンネル選局した番組の映像信号とを、前記合成手段にて合成して２画面表示信号として出力させる合成制御手段と、を具備したものである。
【０００９】
本願発明の他の態様のテレビジョン装置は、チャンネル選局が可能であって、第１の番組の映像信号を出力する第１の番組受信手段と、チャンネル選局が可能であって、第２の番組の映像信号を出力する第２の番組受信手段と、前記第１及び第２の番組の映像信号を合成して２画面表示可能とする一方、少なくとも前記第１の番組の映像信号を１画面表示可能とする合成手段と、前記第１の番組について、視聴者の好みのジャンル又はキーワード、及び視聴時間を好みの条件として記憶する第１の記憶手段と、電源のオンオフ及び前記第１の番組受信手段に対するチャンネル選局を含む操作を行うための操作手段と、
前記操作手段を用いて、電源オン又は前記第１の番組受信手段に対するチャンネル切り替えを行った時からの時間経過を視聴時間として測定する計時手段と、視聴中の第１の番組が、前記好みの条件を満たしたか否かを判定する第１の判定手段と、視聴中の第１の番組が、前記第１の判定手段が前記好みの条件を満たしたと判断したときに、この前記好みの条件を満たした前記第１の番組を特定可能な番組情報を記憶する第２の記憶手段と、前記第１の番組受信手段に対するチャンネル切り替えを行った際に、このチャンネル切り替え後の番組が前記第２の記憶手段に記憶したチャンネル切り替え前の好みの条件を満たした番組に戻ったか否かを判定する第２の判定手段と、前記第２の判定手段で判定した結果、チャンネル切り替え後の番組がチャンネル切り替え前の好みの条件を満たした番組であった場合には、このチャンネル切り替え後の番組の映像信号のみを前記合成手段にて１画面表示信号として出力させ、チャンネル切り替え後の番組がチャンネル切り替え前の好みの条件を満たした番組以外の番組であった場合には、このチャンネル切り替え後の番組の映像信号と、前記第２の記憶手段に記憶したチャンネル切り替え前の好みの条件を満たした番組の前記番組情報に基づき前記第２の番組受信手段で自動的にチャンネル選局した番組の映像信号とを、前記合成手段にて合成して２画面表示信号として出力させる合成制御手段と、を具備したものである。
【００１０】
本願発明の他の態様のテレビジョン装置は、チャンネル選局が可能であって、第１の番組の映像信号を出力する第１の番組受信手段と、インターネットに接続してウェブ上のホームページを受信可能であって、該ホームページの映像信号を出力するインターネット受信手段と、前記第１の番組及び前記ホームページの映像信号を合成して２画面表示可能とする一方、前記第１の番組及び前記ホームページの映像信号の一方を１画面表示可能とする合成手段と、前記第１の番組について、視聴者の好みのジャンル又はキーワードを好みの条件として記憶する第１の記憶手段と、視聴中の第１の番組が、前記好みの条件を満たしたか否かを判定する第１の判定手段と、前記ホームページについて、視聴者の好みのアドレスを記憶する一方、視聴中の第１の番組が、前記第１の判定手段が前記好みの条件を満たしたと判断したときに、この前記好みの条件を満たした前記第１の番組を特定可能な番組情報を記憶する第２の記憶手段と、電源のオンオフ及び前記第１の番組受信手段に対するチャンネル選局並びにホームページ選択受信を含む操作を行うための操作手段と、前記第１の番組受信手段に対するチャンネル切り替えを行った際に、このチャンネル切り替え後の番組が前記第２の記憶手段に記憶したチャンネル切り替え前の好みの条件を満たした番組に戻ったか否かを判定する第２の判定手段と、前記第２の判定手段で判定した結果、チャンネル切り替え後の第１の番組がチャンネル切り替え前の好みの条件を満たした番組であった場合には、このチャンネル切り替え後の番組の映像信号のみを前記合成手段にて１画面表示信号として出力させ、チャンネル切り替え後の番組がチャンネル切り替え前の好みの条件を満たした番組以外の番組であった場合には、このチャンネル切り替え後の番組の映像信号と、前記第２の記憶手段に記憶したホームページのアドレスに対応して前記インターネット受信手段で受信したホームページの映像信号とを、前記合成手段にて合成して２画面表示信号として出力させる合成制御手段と、を具備したものである。
【００１１】
本願発明の一態様のテレビジョンシステムは、上記テレビジョン装置と、該テレビジョン装置における前記合成手段の出力を画面表示する表示装置と、を具備したものである。
【００１２】
本願発明の一態様のテレビジョン装置の受信方法は、チャンネル選局が可能であって、第１の番組の映像信号を出力する第１の番組受信ステップと、チャンネル選局が可能であって、第２の番組の映像信号を出力する第２の番組受信ステップと、前記第１の番組について、視聴者の好みのジャンル又はキーワードを好みの条件として第１の記憶手段に記憶する第１の記憶ステップと、視聴中の第１番組が、前記好みの条件を満たしたか否かを判定する第１の判定ステップと、視聴中の第１番組が、前記第１の判定ステップにて好みの条件を満たしたと判断したときに、この前記好みの条件を満たした前記第１の番組を特定可能な番組情報を第２の記憶手段に記憶する第２の記憶ステップと、前記第１の番組についてチャンネル切り替えを行った際に、チャンネル切り替え後の番組が前記第２の記憶手段に記憶したチャンネル切り替え前の好みの条件を満たした番組に戻ったか否かを判定する第２の判定ステップと、前記第２の判定ステップで判定した結果、チャンネル切り替え後の番組がチャンネル切り替え前の好みの条件を満たした番組であった場合には、このチャンネル切り替え後の番組の映像信号のみを１画面表示信号として出力し、チャンネル切り替え後の番組がチャンネル切り替え前の好みの条件を満たした番組以外の番組であった場合には、このチャンネル切り替え後の番組の映像信号と、前記第２の記憶手段に記憶したチャンネル切り替え前の好みの条件を満たした番組の前記番組情報に基づき前記第２の番組受信ステップで自動的にチャンネル選局した番組の映像信号とを、合成して２画面表示信号として出力する合成ステップと、を具備したものである。
【発明の効果】
【００１３】
本発明によれば、聴者の好みの番組を検索し登録して、その登録した好みの番組とそれ以外の番組とに関して、チャンネル切り替えに伴って、視聴者に最適な表示形態（２画面並列表示、親子画面表示、１画面表示及び各画面の番組配置）が自動的に選択されて表示される。
【発明を実施するための最良の形態】
【００１４】
発明の実施の形態について図面を参照して説明する。  
［第１の実施形態］
図１は本発明の第１の実施形態のテレビジョンシステムの構成を示すブロック図である。図２は図１におけるメモリ１０９における好みの条件を登録する第１の領域と視聴中の番組が当該好みの条件を満たしたときの番組の情報を記憶しておく第２の領域を示す図である。以下、２画面並列表示と親子画面表示を単に２画面表示と呼ぶことにする。
【００１５】
図１において、テレビジョンシステムは、符号１０１〜１１１に示すテレビジョン装置と、符号１１２に示す表示装置とを備えている。表示装置１１２は、テレビジョン装置における合成手段の出力を画面表示する。
【００１６】
テレビジョンシステムは、デジタル放送信号を受信可能なアンテナ１０１と、アンテナ１０１からの放送信号を入力し、チャンネル選局が可能であって、第１の番組の映像信号を出力するチューナ１０２及びＭＰＥＧデコーダ１０３を含む第１の番組受信手段１２１と、アンテナ１０１からの放送信号を入力し、チャンネル選局が可能であって、第２の番組の映像信号を出力するチューナ１０４，ＭＰＥＧデコーダ１０５及びスケーリング回路１０６を含む第２の番組受信手段１２２と、第１及び第２の番組のうち少なくとも一方のスケーリング（縮小）された番組（例えば第２の番組の縮小番組）の映像信号を合成する合成手段としての合成回路１０７と、第１の番組について、視聴者の好みのジャンル，キーワード及び視聴時間を好みの条件として記憶（登録）する第１の記憶手段としてのメモリ１０９の第１の領域１０９Ａ（図２参照）と、電源のオンオフ及び前記第１の番組受信手段についてのチャンネル選局を含む操作を行うための操作手段としてのユーザＩ／Ｆ１１１と、操作手段を用いて電源オン又は第１の番組についてのチャンネル切り替えを行った時からの時間経過を視聴時間として測定する計時手段としてのタイマ１１０と、視聴中の第１の番組が、後述の第１の判定手段が好みの条件を満たした時に、その番組を特定可能なチャンネル，ジャンル等の番組情報を記憶する第２の記憶手段としてのメモリ１０９の第２の領域１０９Ｂ（図２参照）と、チューナ１０２，１０４，ＭＰＥＧデータ１０３，１０５，スケーリング回路１０６及び合成回路１０７を制御する制御回路１０８と、前記合成回路１０７の出力を画面表示する表示装置１１２と、を備えている。なお、スケーリング回路は第１の番組受信手段側にも設けられてもよい。
【００１７】
制御回路１０８は、視聴中の第１の番組が、前記メモリ１０９の第１の領域に記憶した好みのジャンル，キーワード及び視聴時間の条件を満たしたか否かを判定する第１の判定手段と、第１の番組についてチャンネル切り替えを行った際に、チャンネル切り替えされた第１の番組が前記メモリ１０９の第２の領域に記憶したチャンネル切り替え前の好みの条件を満たした番組に戻ったか否かを判定する第２の判定手段と、第２の判定手段で判定した結果、チャンネル切り替えされた第１の番組がチャンネル切り替え前の好みの条件を満たした番組に戻った場合には、その第１の番組の映像信号のみを前記合成回路１０７にて１画面表示信号として出力させ、チャンネル切り替えされた第１の番組がチャンネル切り替え前の好みの条件を満たした番組以外の番組であった場合には、チャンネル切り替えされた第１の番組の映像信号と、前記メモリ１０９の第２の領域に記憶した番組情報に基づきチャンネル切り替え前の視聴者の好みの番組に対応して前記第２の番組受信手段で選局受信した第２の番組の映像信号とを、前記合成回路１０７にて合成して２画面表示信号として出力させる合成制御手段と、を含んでいる。
【００１８】
以上の構成において、放送局からデジタル放送信号が送られるものとして作用を説明する。  
放送局からデジタル放送信号が送られ、アンテナ１０１で受信し、チューナ１０２、１０４に入力される。デジタル放送信号はチューナ１０２、１０４に入力されるが、最初にメイン画面側であるチューナ１０２について説明し、次にサブ画面側であるチューナ１０３について説明する。
【００１９】
チューナ１０２は視聴者が選択したチャンネルの トランスポート(以下、ＴＳ) 信号を出力する。ＴＳ信号には映像／音声信号の他にも電子番組表（以下、ＥＰＧ）等の情報が多重されている。チューナ１０２から出力されたＴＳ信号はＭＰＥＧデコーダ１０３に入力され、映像信号、音声信号にデコードし、映像信号が合成回路１０７に出力される。
【００２０】
チューナ１０４に入力されたデジタル放送信号もＭＰＥＧデコーダ１０５の出力まで同じ過程を辿る。ＭＰＥＧデコーダ１０５から出力された信号はサブ画面として表示されるためにスケーリング回路１０６へと入力される。スケーリングされた映像信号はメイン画面の映像信号と同様に合成回路１０７に入力される。
【００２１】
制御回路１０８は、ユーザＩ／Ｆ１１１からの操作によって予め視聴者の好みのジャンル及びキーワードをメモリ１０９の第１の領域１０９Ａに記憶（登録）し、視聴している番組がメモリ１０９に記憶されたジャンル及びキーワードに一致するかを判断し、一致する場合には合成回路１０７にメインチャンネルとサブチャンネルを合成するよう命令し、一致しない場合には合成回路１０７にメインチャンネルのみ表示するよう命令を出す。また、制御回路１０８は、時間経過を測定するタイマ１１０をリセットする等の制御をし、視聴者の好みのジャンル及びキーワードが一致した番組をタイマ１１０からの時間情報によって一定時間視聴したか否かを判断する。この視聴時間についても視聴者がユーザＩ／Ｆ１１１からの操作によって予め希望の時間をメモリ１０９の第１の領域１０９Ａに記憶（登録）しておく。制御回路１０８は、その他、ユーザＩ／Ｆ１１１、チューナ１０２，１０４、ＭＰＥＧデコーダ１０３，１０５、スケーリング回路１０６を制御する。  
合成回路１０７から出力された信号を表示装置１１２が表示し、視聴者に番組を提供する。
【００２２】
次に、本発明実施形態のテレビジョン装置からの映像出力を、表示装置に表示した例について説明する。図３は表示例を示し、図４及び図５は制御回路１０８の制御フローチャートを示している。  
図３と共に図４、図５の制御フローを説明する。  
番組を視聴する前に視聴者が好みのジャンル，キーワード及び視聴時間をユーザーＩ／Ｆ（或いはＧＵＩ）で登録しておく。視聴している番組のジャンル及びキーワードが登録したジャンル及びキーワードと一致し、登録した時間以上視聴し続けたときのみ、 ピクチャ・イン・ピクチャ(PIP：Picture In Picture)で表示される。
【００２３】
図３の表示例では、視聴者は
(1)ジャンル：『スポーツ − 野球』  キーワード：『Ｇチーム』  時間：３０分
(2)ジャンル：『ニュース／報道 − 海外・国際』  キーワード：『○○キャスター』  時間：１０分
と２つの好みの条件を登録してあるとする。
【００２４】
視聴者がテレビジョンシステムの電源を入れると、図３(Ａ)のようにジャンルが『スポーツ／野球』、キーワードに『Ｇチーム』を含む野球番組が表示されるとする。図４では電源が入れられると、ステップ３０１で時間経過を計るタイマ１１０がリセットされ、ステップ３０２ではデコードされた映像信号に含まれるＰＩＤ、ＥＰＧがリードされる。また同じくステップ３０２でメモリ１０９に登録された条件(1)、(2)がリードされる。そして図４のステップ３０３では条件として挙げられたジャンルが一致しているかチェックする。この場合、視聴者が視聴している番組は『スポーツ − 野球』であり、条件(1)でも『スポーツ − 野球』として登録してあるので、この条件は満たされる。次にステップ３０４では登録したキーワードが番組情報の中に含まれるかをチェックする。視聴している番組は番組情報の中に『Ｇチーム』を含み、条件(1)も同様のキーワードが登録してあるので、この条件も満たされる。そのまま視聴者がチャンネル切り替え（ＣＨ切替と略記）をすることなく３０分以上野球番組を視聴しているとすると、ステップ３０５で条件(1)の３０分視聴し続けるという条件を満たしたことになるので、ステップ３０６でチャンネル、ジャンル等の番組を特定可能な番組情報をメモリ１０９の第２の領域１０９Ｂに記録し、図５の表示フローへ移行する。なお、ステップ３０３、３０４でジャンルの一致、キーワードの未検出であった場合には、タイマ１１０をリセットした後にステップ３０２から同じ経路を辿る。
【００２５】
ここで視聴者が図３(Ｂ)の音楽番組へチャンネルを切り替えると、図５のステップ４０１でメインチャンネルの切り替えが行われたことになり、図４のステップ３０６でメモリ１０９の第２の領域１０９Ｂに記録したチャンネル、ジャンル等がステップ４０２でリードされる。ステップ４０３でメモリ１０９から呼び出されたチャンネル、ジャンル等と図３(Ｂ)のメインチャンネルの番組が一致するかのチェックを行い、この場合はジャンルが異なるので、ステップ４０４へ移行し、先ほど条件を満たした番組がサブ画面化され、２画面表示となる。チャンネル切り替えが起こったため、表示切替処理フローチャートではスタートから始まることになる。
【００２６】
また、図３(Ｂ)のメインチャンネルも図３(Ａ)の番組と同様に図４のフローチャートを通る。しかし、この番組はステップ３０３、３０４で一致しないので、条件は満たされないことになる。
【００２７】
ここで図３(Ｃ)の報道番組へチャンネル切り替えると、図３(Ｂ)の音楽番組は条件を満たしていないので、サブ画面で表示されることなく、引き続き図３(Ａ)の野球番組がサブ画面に表示される。図３(Ｃ)の番組はジャンルが『ニュース／報道 − 海外・国際』、キーワードに『○○キャスター』を含んでいる。よって条件(2)のジャンル、キーワードと一致するため、図４のステップ３０３、３０４は通過する。しかし視聴者が５分でチャンネルを切り替えるとすると、条件(2)の時間が１０分に設定されているため、ステップ３０５の条件が満たされたことにはならず、図３(Ｃ)の報道番組がサブ画面化されない。そしてこのとき、切り替えるチャンネルを図３(Ａ)の野球番組に戻すと、図５のステップ４０３で好みの番組に戻ったこととなり、ステップ４０５へ移行し、サブ画面が消え、野球番組のメイン画面のみの１画面表示となる。そして、再びチャンネル切り替えが起こるのを待つ。
【００２８】
図６は図３の例とは異なる他の表示例を示している。
【００２９】
図６の表示例でも、視聴者が図３と同様に
(1)ジャンル：『スポーツ − 野球』  キーワード：『Ｇチーム』  時間：３０分
(2)ジャンル：『ニュース／報道 − 海外・国際』  キーワード：『○○キャスター』  時間：１０分
と２つの好みの条件を登録してあるとする。
【００３０】
図６(Ａ)の野球番組はジャンルが『スポーツ／野球』、キーワードに『Ｇチーム』を含み、視聴者はすでに１時間視聴しているものとする。制御回路１０８は、図３と同様に条件(1)を満たすため、チャンネル、ジャンル等をメモリ１０９の第２の領域１０９Ｂに記録し、視聴者が図６(Ｂ)の報道番組へチャンネルを切り替えると、メモリ１０９の第２の領域１０９Ｂをリードし、サブ画面に図６(Ａ)の野球番組が表示される。ここまでは図３と同様である。図６(Ｂ)の報道番組も登録してあるジャンルとキーワードが一致し、かつ、１０分以上視聴しているとする。図４のステップ３０３〜３０５を通過し、図６(Ｂ)の報道番組も条件が満たされたことになる。よってステップ３０６でチャンネル、ジャンル等がメモリ１０９の第２の領域１０９Ｂに記憶される。このときは、第２の領域１０９Ｂは、既にに記憶してあった図６(Ａ)の前回の野球番組のチャンネル、ジャンル等の情報に代わって記憶内容が更新されることになる。その後にチャンネルを野球番組へ戻すと、図５のステップ４０２ではメモリ１０９の第２の領域１０９Ｂから図６(Ｂ)の報道番組のチャンネル、ジャンル等がリードされ、ステップ４０３では、野球番組は好みの番組として扱われず、図４(Ｃ)のように野球番組がメイン画面、報道番組がサブ画面の２画面表示になる。同様に野球番組を３０分視聴した後に報道番組へ変更すれば、報道番組がメイン画面に、サブ画面は野球番組に変わる。つまり、条件を満たした番組が２番組以上になった際には最後に条件を満たした番組がサブ画面として表示される。
【００３１】
［第２の実施形態］
次に、第２の実施形態として、インターネットに接続してホームページを表示可能なテレビジョンシステムにおいて、自動更新をするホームページなどを閲覧している際にユーザーの手を煩わせることなく、テレビ放送もインターネットも楽しむことができるテレビジョンシステムについて説明する。
【００３２】
図７は本発明の第２の実施形態のテレビジョンシステムの構成を示すブロック図である。図８は図７におけるメモリ６０９における番組の好みの条件を登録する第１の領域と、インターネットの好みのホームページのアドレスを登録する一方視聴中の番組が好みの条件を満たしたときの番組の情報を記憶しておく第２の領域を示す図である。
【００３３】
テレビジョンシステムは、デジタル放送信号を受信可能なアンテナ１０１と、アンテナ１０１からの放送信号を入力し、チャンネル選局が可能であって、第１の番組の映像信号を出力するチューナ６０２及びＭＰＥＧデコーダ６０３を含む第１の番組受信手段６２１と、インターネットに接続してウェブ上のホームページを受信可能であって、該ホームページの映像信号を出力するＬＡＮ回路６１３及びグラフィック処理回路６０４を含むインターネット受信手段６２２と、第１の番組及びホームページの少なくとも一方（例えばホームページ）の映像信号をスケーリング（縮小）した状態で合成する合成回路６０７と、第１の番組について、視聴者の好みのジャンル，キーワード及び視聴時間を好みの条件として記憶する第１の記憶手段としてのメモリ６０９の第１の領域６０９Ａ（図８参照）と、ホームページについて、視聴者の好みのアドレスを記憶する一方、視聴中の第１の番組が、後述の第１の判定手段が好みの条件を満たした時に、その番組を特定可能なチャンネル、ジャンル等の番組情報を記憶する第２の記憶手段としてのメモリ６０９の第２の領域６０９Ｂ（図８参照）と、電源のオンオフ及び第１の番組についてのチャンネル選局並びにホームページ選択受信を含む操作を行うための操作手段としてのユーザＩ／Ｆ６１１と、操作手段を用いて電源オン又はチャンネル切り替えを行った時からの時間経過を視聴時間として測定する計時手段としてのタイマ６１０と、チューナ６０２、ＭＰＥＧデコーダ１０５、グラフィック処理回路６０４及び合成回路６０７を制御する制御回路６０８と、前記合成回路６０７の出力を画面表示する表示装置６１２と、を備えている。なお、第１の番組受信手段側にはスケーリング回路を設けてもよい。
【００３４】
制御回路６０８は、視聴中の第１の番組が、前記第１の記憶手段に記憶した好みのジャンル，キーワード及び視聴時間の条件を満たしたか否かを判定する第１の判定手段と、第１の番組についてチャンネル切り替えを行った際に、チャンネル切り替えされた第１の番組が前記メモリ６０９の第２の領域に記憶したチャンネル切り替え前の好みの条件を満たした番組に戻ったか否かを判定する第２の判定手段と、第２の判定手段で判定した結果、チャンネル切り替えされた第１の番組がチャンネル切り替え前の好みの条件を満たした番組に戻った場合には、その第１の番組の映像信号のみを前記合成回路６０７にて１画面表示信号として出力させ、チャンネル切り替えされた第１の番組がチャンネル切り替え前の好みの条件を満たした番組以外の番組であった場合には、チャンネル切り替えされた第１の番組の映像信号と、前記メモリ６０９の第２の領域に記憶したホームページのアドレスに対応して前記インターネット受信手段で受信したホームページの映像信号とを、前記合成回路６０７にて合成して２画面表示信号として出力させる合成制御手段と、を備えている。
【００３５】
上記の構成において、第１の実施形態ではメイン画面もサブ画面もテレビ映像であったのに対し、第２の実施形態では一方の画面がウェブ情報に対応している。ＬＡＮ回路６１３でウェブ上から取得した情報（例えばホームページ）をグラフィック処理回路６０４でブラウジングしスケーリングして、テレビ映像と同じようにサブ画面として合成回路６０７で合成され表示装置６１２を介して表示される。また、メモリ６０９には、好みの番組のジャンル，キーワード及び視聴時間だけでなく、好みのホームページのアドレスも記憶（登録）される。
【００３６】
次に、本発明実施形態のテレビジョン装置からの映像出力を、表示装置に表示した例について説明する。図９は表示例を示し、図１０及び図１１は制御回路６０８の制御フローチャートを示している。  
図９と共に図１０、図１１の制御フローを説明する。  
ユーザーは第１の実施形態の条件(1)と同じくあらかじめジャンル：『スポーツ − 野球』  キーワード：『Ｇチーム』  時間：３０分  を登録し、さらにもう１つアドレス：http://www.ＸＸＸ.co.jpを登録しておく。
【００３７】
図９(Ａ)の野球番組は第１の実施形態と同様に好みの番組として登録されており、ジャンル，キーワード及び視聴時間が好みの条件に一致すると、図１０のチャンネル切り替え前の制御フローチャートは視聴者の好みの番組としてメモリ６０９の第２の領域６０９Ｂにチャンネル、ジャンル等を記憶して通過し、図１１の表示切り替え処理の制御フローチャートに移行する。ここで図９(Ｂ)の報道番組にチャンネル切り替えを行うと、図１１のステップ９０２でチャンネル切り替え前に視聴していた野球番組のチャンネル、ジャンル等をリードする他に、あらかじめ登録したホームページのアドレスがリードされる。そして、ステップ９０３で好みの番組に戻ったか判定するが、好みの野球番組ではないので、ステップ９０４の２画面表示へ移行する。このとき、メモリ６０９の第２の領域６０９Ｂに記憶したチャンネル切り替え前の視聴者の好みの番組の情報に優先して、第２の領域６０９Ｂに予め記憶（登録）したアドレスのホームページを図７のグラフィック処理回路６０４でブラウジングし縮小して、現在のテレビ番組をメイン画面とし、ホームページをサブ画面として２画面表示にする。
【００３８】
また、図９(Ｃ)の音楽番組にチャンネル切り替えを行っても、好みの条件は満たされないので引き続きホームページがサブ画面に映出される。  
チャンネルを図９(Ａ)の野球番組に戻した場合は、図１１のステップ９０３で好みの番組に戻ったと判定されるので、ステップ９０５へ移行し、サブ画面は消え、野球番組のみの１画面表示になる。
【００３９】
本発明の効果は、視聴者がチャンネル切り替えを行った際にリモコンなどのユーザＩ／Ｆの操作をさせることなく、ユーザに合った表示状態で自動的に２画面表示するところにある。例えば、野球やサッカーなどのスポーツを視聴していても試合が硬直してゲームが動かない場合がある。そのときに裏番組を視聴したいとチャンネル切り替えを行い、裏番組を視聴している間にゲームが動くこともありうる。ゲームが動いた瞬間を見逃さないために２画面表示でサブ画面でゲームを表示させるのが一つの手段であるが、リモコン等のユーザＩ／Ｆの操作が煩わしいと感じる視聴者にこの発明は効果的である。すなわち好みの番組というよりも、番組のコーナーなど番組の内容の変化によって視聴者の興味が変化しチャンネル切り替えを必要とする場合に前の番組の興味を持っているコーナーなどを見逃すことがないように自動的にサブ画面化する。  
さらに、図９（Ｃ）の状態でリモコン等のユーザＩ／Ｆに設けたインターネットボタンを押せば、ホームページがメイン画面に、野球番組がサブ画面に表示されることになる。
【００４０】
尚、以上述べた第１及び第２の実施形態では、親子画面表示を行うテレビジョン装置について説明したが、本発明はこれに限定されず、２画面並列表示を行うテレビジョン装置についても応用することができる。  
また、以上述べた第１及び第２の実施形態では、好みの番組としてジャンル，キーワード及び視聴時間の条件を登録するものであったが、本発明はこれに限定されず、キーワードを登録せずジャンルと視聴時間のみを登録してもよく、或いは、ジャンルを登録せずキーワードと視聴時間のみを登録して同じ本発明の機能を実現してもよく、このようにすれば好みのジャンルまたは好みキーワードの条件で一定時間が経過すれば自動的に２画面表示させることも可能である。また、視聴時間をゼロに設定すれば、ジャンル又はキーワードのみの登録とすることもできる。
【００４１】
したがって、 予め視聴者の好みの番組のジャンル又はキーワードを登録し、その登録条件に一致する番組を一定時間視聴した後、チャンネル切り替えを行った際に、リモコン操作をすることなく、チャンネル切り替えで表示された番組を第１の画面にし、視聴者の好みの番組を第２の画面にして、自動的に２画面並列表示或いは、親子画面表示する。また、チャンネル切り替えを行って視聴者の好みの番組に戻った際には１画面表示に切り替わる。これによって視聴者の好みの番組の裏番組を視聴する際に、リモコン操作をせずに視聴者の好みの番組の進行状態を確認することができる。また、インターネットのホームページを受信可能なテレビジョン装置において、視聴者の好みのホームページも予め登録しておくことにより、チャンネル切り替えを行った際に、放送番組を第１の画面に、好みのホームページを第２の画面にして、２画面並列表示或いは親子画面表示したり、ホームページを第１の画面に、好みの放送番組を第２の画面にすることも可能である。
【産業上の利用可能性】
【００４２】
本発明は、２画面並列表示或いは親子画面表示のような２画面表示可能なテレビジョンシステムや、放送番組とホームページを２画面表示可能なテレビジョンシステムに適用して有用である。
【図面の簡単な説明】
【００４３】
【図１】本発明の第１の実施形態のテレビジョンシステムの構成を示すブロック図。
【図２】図１におけるメモリに記憶される好みの番組の検索条件及び該好みの条件を満たしたときの番組の情報を説明する説明図。
【図３】第１の実施形態のテレビジョン装置からの映像出力を、表示装置に表示する動作を説明する図。
【図４】第１の実施形態における制御フローチャート。
【図５】図４のフローチャートに続く制御フローチャート。
【図６】第１の実施形態のテレビジョン装置からの映像出力について、図３の表示動作とは異なる他の表示動作の例を説明する図。
【図７】本発明の第２の実施形態のテレビジョンシステムの構成を示すブロック図。
【図８】図７におけるメモリに記憶される好みの番組の検索条件及びホームページの検索条件と該好みの条件を満たしたときの番組の情報を説明する説明図。
【図９】第２の実施形態のテレビジョン装置からの映像出力を、表示装置に表示する動作を説明する図。
【図１０】第２の実施形態における制御フローチャート。
【図１１】図１０のフローチャートに続く制御フローチャート。
【符号の説明】
【００４４】
１０２，１０４，６０２…チューナ
１０３，１０５，６０３…ＭＰＥＧデコーダ
１０６…スケーリング回路
１０７，６０７…合成回路（合成手段）
１０８，６０８…制御回路（第１及び第２の判定手段、合成制御手段を含む）
１０９，６０９…メモリ（第１及び第２の記憶手段を含む）
１０９Ａ，６０９Ａ…第１の領域（第１の記憶手段）
１０９Ｂ，６０９Ｂ…第２の領域（第２の記憶手段）
１１０，６１０…タイマ（計時手段）
１１１，６１１…ユーザＩ／Ｆ（操作手段）
１２１，６２１…第１の番組受信手段
１２２…第２の番組受信手段
６２２…インターネット受信手段
１１２，６１２…表示装置
【図１】
2008167083.tif 000003
【図２】
2008167083.tif 000004
【図３】
2008167083.tif 000005
【図４】
2008167083.tif 000006
【図５】
2008167083.tif 000007
【図６】
2008167083.tif 000008
【図７】
2008167083.tif 000009
【図８】
2008167083.tif 000010
【図９】
2008167083.tif 000011
【図１０】
2008167083.tif 000012
【図１１】
2008167083.tif 000013